(57)【要約】【課題】  タッチパネルにおいて、複数のコンテンツを代表する代表画上で個々のコンテンツを指定しやすくする。【解決手段】  タッチパネル（１０２）は、表示部（１０３）と、タッチ操作される操作部（１０４）を具備する。全体制御部（１１４）は、複数の画像を代表する代表画に対して、各画像に対応するタッチ感知領域を互いに重ならないように、且つ前記代表画像に重ねて設定する。全体制御部（１１４）は表示部（１０３）に、各タッチ感知領域に対応する画像の属性を示すラベルを各タッチ感知領域に重ねて表示させる。タッチ検出部（１１３）は、設定されたタッチ感知領域のタッチを検出すると、全体制御部（１１４）に通知する。【選択図】  図１
2014002625.tif 000002
【特許請求の範囲】
【請求項１】
画像を表示すると共にタッチ位置を感知するタッチパネルの表示とタッチ感知領域を制御する表示制御装置であって、
複数のコンテンツを代表する代表画像を表示する手段と、
前記複数のコンテンツのそれぞれに対応するタッチ感知領域を互いに重ならないように、且つ前記代表画像に重ねて設定する手段と、
前記各タッチ感知領域に対応する前記コンテンツの属性を示すラベルを、前記各タッチ感知領域に重ねて表示する手段
とを具備することを特徴とする表示制御装置。
【請求項２】
前記タッチ感知領域は対応するラベルのラベル領域より広いことを特徴とする請求項１に記載の表示制御装置。
【請求項３】
各タッチ感知領域を視覚的に識別できるようにする枠が付加されていることを特徴とする請求項１に記載の表示制御装置。
【請求項４】
複数の前記タッチ感知領域のそれぞれ、対応する前記コンテンツの種類に応じた面積で設定されることを特徴とする請求項１に記載の表示制御装置。
【請求項５】
画像を表示すると共にタッチ位置を感知するタッチパネルの表示とタッチ感知領域を制御する方法であって、
複数のコンテンツを代表する代表画像を表示するステップと、
前記複数のコンテンツのそれぞれに対応するタッチ感知領域を互いに重ならないように、且つ前記代表画像に重ねて設定するステップと、
前記各タッチ感知領域に対応する前記コンテンツの属性を示すラベルを、前記各タッチ感知領域に重ねて表示するステップ
とを具備することを特徴とする制御方法。
【請求項６】
画像を表示すると共にタッチ位置を感知するタッチパネルの表示とタッチ感知領域を制御する表示制御装置を、
複数のコンテンツを代表する代表画像を表示する手段と、
前記複数のコンテンツのそれぞれに対応するタッチ感知領域を互いに重ならないように、且つ前記代表画像に重ねて設定する手段と、
前記各タッチ感知領域に対応する前記コンテンツの属性を示すラベルを、前記各タッチ感知領域に重ねて表示する手段
として機能させることを特徴とする制御プログラム。
【請求項７】
画像を表示すると共にタッチ位置を感知するタッチパネルの表示とタッチ感知領域を制御する表示制御装置を、
複数のコンテンツを代表する代表画像を表示する手段と、
前記複数のコンテンツのそれぞれに対応するタッチ感知領域を互いに重ならないように、且つ前記代表画像に重ねて設定する手段と、
前記各タッチ感知領域に対応する前記コンテンツの属性を示すラベルを、前記各タッチ感知領域に重ねて表示する手段
として機能させる制御プログラムを読出し可能に記録する記録媒体。
【発明の詳細な説明】
【技術分野】
【０００１】
本発明は、動画／静止画等の代表画の一覧表示画面を生成表示する表示制御装置、タッチパネル制御方法及び制御プログラム、同制御プログラムを記録する記録媒体に関する。
【背景技術】
【０００２】
近年、デジタルビデオカメラの使用は一般的になってきている。ユーザはデジタルビデオカメラを用いて手軽に動画を撮影でき、パーソナルコンピュータ（以下、ＰＣと略す）に動画を取り込んだり、インターネットを通じて配信したりできる。
【０００３】
デジタルビデオカメラは一般に記録モード以外に再生モードも具備する。再生モードでは、記録済みの動画を代表する代表画で一覧表示し、ユーザは、その一覧表示画面（以下、インデックス画面と呼ぶ。）上で再生したい動画を選択する。
【０００４】
また、オリジナルの動画を編集して新しい動画を作成する編集機能を具備するビデオカメラもある。例えば、お気に入りの動画の音声をお気に入りの音楽に差し替えたり、そのように差し替えたものを新しい動画として記録することができる。また、高精細（ＨＤ：High Definition）画質の動画像を標準（ＳＤ：Standard Definition）画質に変換する機能を具備するものもある。これらの、オリジナルから生成された動画についても、オリジナルと同様にその代表画像がインデックス画面に表示される。しかし、例示した編集の場合、インデックス画面上には、類似した代表画が並ぶことになり、ユーザが所望の動画を探索するのが困難になる。
【０００５】
特許文献１には、同じ静止画のＲＡＷデータとＪＰＷＦデータがある場合に、代表画像は一つとしつつ、その代表画にＲＡＷ／ＪＰＥＧのラベルをつけることで、複数の静止画が記録されていることを明示する方法が記載されている。
【先行技術文献】
【特許文献】
【０００６】
【特許文献１】特開２００７−１８９４２８号公報
【発明の概要】
【発明が解決しようとする課題】
【０００７】
特許文献１に記載の技術では、ユーザは、１つの代表画がＲＡＷデータとＪＰＥＧデータを代表していることを理解できるものの、個々のＲＡＷデータ又はＪＰＥＧデータを選択する方法は開示されていない。すなわち、個々のデータを容易に選択できる方法が提示されないと、操作性の悪いものになる。
【０００８】
動画の場合、同じオリジナル及び編集後を含む種々の動画に対して同じ代表画像が生成されるケースが起こり得るので、操作性は更に悪化する。すなわち、１つの代表画がオリジナル及び編集後を含む複数の動画を代表している状況で、ユーザには、希望する動画を適切に選択する手段が提供される必要がある。
【０００９】
本発明は、このような要望を満たす表示制御装置、タッチパネル制御方法、制御プログラム及び記録媒体を提示することを目的とする。
【課題を解決するための手段】
【００１０】
本発明に係る表示制御装置は、画像を表示すると共にタッチ位置を感知するタッチパネルの表示とタッチ感知領域を制御する表示制御装置であって、複数のコンテンツを代表する代表画像を表示する手段と、前記複数のコンテンツのそれぞれに対応するタッチ感知領域を互いに重ならないように、且つ前記代表画像に重ねて設定する手段と、前記各タッチ感知領域に対応する前記コンテンツの属性を示すラベルを、前記各タッチ感知領域に重ねて表示する手段とを具備することを特徴とする。
【発明の効果】
【００１１】
本発明によれば、同じ代表画で代表される複数のコンテンツのそれぞれを容易に指定できるようになり、操作性が向上する。
【図面の簡単な説明】
【００１２】
【図１】本発明の一実施例の概略構成図である。
【図２】本実施例の外観斜視図である。
【図３】本実施例の画面遷移の説明図である。
【図４Ａ】インデックス画面例である。
【図４Ｂ】フォーマット変換対象を選択する画面例である。
【図４Ｃ】フォーマット変換中の画面例である。
【図４Ｄ】フォーマット変換完了後の画面例である。
【図４Ｅ】ＨＤ動画とＳＤ動画を１つの代表画で表示するインデックス画面例である。
【図４Ｆ】ＳＤ動画を選択している状態の画面例である。
【図４Ｇ】選択したＳＤ動画の再生中の画面例である。
【図５】代表画とタッチ感知領域とラベル表示の例である。
【図６】代表画に枠を付ける表示例である。
【発明を実施するための形態】
【００１３】
以下、図面を参照して、本発明の実施例を詳細に説明する。
【実施例１】
【００１４】
図１は、本発明に係る表示制御装置の一実施例を組み込んだビデオカメラの概略構成ブロック図を示す。
【００１５】
１０１は、ビデオカメラの全体を表す。１０２はタッチパネル部を表す。タッチパネル部１０２は表示部１０３と操作部１０４からなる。表示部１０３は、ビデオカメラ１０１で撮影された画像を表示し、ユーザに対する指示ボタンを表示する。表示部１０３はまた、ビデオカメラ１０１に関する情報及び記録媒体の残容量などを表示する。操作部１０４は、タッチパネル部１０２に表示されるボタン等からユーザの指示を受け付ける。
【００１６】
１０５は被写体画像を示す映像信号を出力する撮像部である。１０７は合成部である。合成部１０７は、タッチパネル部１０２の表示部１０３に表示すべき文字情報と、代表画生成部１０６で生成される静止画の代表画等とを合成する。１０８は復号化部であり、記録媒体１２０に記録された符号データ（圧縮動画データ）を復号化する。１０９は符号化部であり、撮像部１０５から出力される映像信号を符号化する。符号化部１０９は、復号化部１０８で復号化された画像を符号化することができる。これは、オリジナル動画を再符号化して異なる画角の動画を記録する場合に行われる。
【００１７】
１１０はグラフィック部である。グラフィック部１１０はビデオカメラ１０１の様々な情報を表示部１０３に表示するための画面を生成する。例えば、時計、電池残量、記録媒体残量及び記録動画数などの情報を描画する。
【００１８】
１１１は記録媒体アクセス部である。記録媒体アクセス部１１１は、動画記録時に記録媒体１２０に圧縮動画データを記録し、動画再生時には記録媒体１２０から亜種区動画データを再生するインターフェースである。１１２はデータベース部であり、記録媒体１２０に記録された動画間の関連情報を記録媒体１２０から読みこみ保持する。記録媒体１２０は、ビデオカメラ１０１から着脱自在である。
【００１９】
１１３はタッチ状態検出部であり、タッチパネル上にユーザの指が触れると、そのタッチ位置などを検出する。
【００２０】
１１４は全体制御部であり、ビデオカメラ１０１の基本部１１５の各ブロックを記録や再生等の動作モードに応じて適切に制御する。
【００２１】
図２（ａ）は、ビデオカメラ１０１の背面図を示し、図２（ｂ）は外観の斜視図を示す。２０１はビデオカメラ１０１の筐体を示す。２０２は、記録媒体１２０の挿入口である。この挿入口２０２から記録媒体１２０を出し入れする。２０３は電源ボタンで、ビデオカメラ１０１の主電源をオン／オフする為のボタンである。２０４はビデオカメラ１０１のレンズを含む鏡筒部分である。２０５はタッチパネル部１０２のタッチ領域を示す。記録・再生の指示、編集の指示等すべての操作は、タッチ領域２０５で行われる。
【００２２】
図３は、タッチ領域２０５に表示される画面の遷移例を示す。ビデオカメラ１０１がインデックスモードの場合、記録媒体１２０から記録動画を読み出し、図３（１）に示すように各動画の代表画を一覧表示する。図３（１）に示すインデックス画面では、４つの動画Ａ〜Ｄに対する代表画が一覧表示される。３０３は動画Ａの代表画の一例を示す。
【００２３】
３０４は、インデックスモードから記録モードに遷移させる場合の記録モードボタンである。ユーザが代表画３０３を選択すると、図３（２）に例示するように画面全体に動画Ａを表示し再生を開始する。図３（２）に示すフルスクリーンでの動画再生時には、インデックスモードへの復帰を指示するインデックスモードボタン３１２が表示される。
【００２４】
図３（１）に示すインデックス画面で、ユーザが記録モードボタン３０４を押すと、ビデオカメラ１０１は記録モードに移行する。記録モードでは、表示部１０３は、図３（３）に例示するような撮像部１０５による撮像画像３２１又はスルー画像を表示する。撮像画像３２１には、撮影ボタン３２２と、インデックスモードへの復帰を指示するインデックスモードボタン３２３が重畳表示される。ユーザが撮影ボタン３２２を押下すると、ビデオカメラ１０１は、押下時点の撮像部１０５による撮像画像からなる動画の記録媒体１２０への記録を開始する。動画記録中にユーザが再度、撮影ボタン３２２を押下すると、ビデオカメラ１０１は記録媒体１２０への動画記録を停止する。
【００２５】
インデックス画面には、オリジナルの動画をフォーマット変換するフォーマット変換ボタン３０５が表示される。図４Ａ〜図４Ｇは、フォーマット変換ボタン３０５によるフォーマット変換の画面遷移例を示す。
【００２６】
図Ａは、インデックス画面を示す。４１１はフォーマット変換モードボタンを示し、４１２は、ボタン４１を操作するユーザの指を示す。フォーマット変換ボタン４１２を押すと、全体制御部１１４は、予め選択されている動画（ここでは、動画Ａ）に対してフォーマット変換を開始する。この例では、フォーマット変換は、ＨＤ動画をＳＤ動画に、ＳＤ動画をＨＤ動画に変換する。動画ＡはＨＤ動画であるので、動画ＡをＳＤ動画にフォーマット変換することになる。ＨＤ動画をサポートする規格にＡＶＣＨＤがあり、ＳＤ動画をサポートする規格にＳＤ-ＶＩＤＥＯがある。ここでは、ＡＶＣＨＤ規格の動画を復号化して画角又はアスペクト比を変更し、ＳＤ−ＶＩＤＥＯ規格の動画として符号化することになる。
【００２７】
図４Ｂは、フォーマット変換モードの画面例を示す。４２３は、フォーマット変換する対象を選ぶように促す案内表示である。４２２は、フォーマット変換モードからインデックスモードに戻るためのボタンである。４２１はこれからフォーマット変換を行う対象の代表画である。ユーザは、代表画４２１をタッチすることで動画Ａを選択する。
【００２８】
図４Ｃは、フォーマット変換中の画面を示す。４３１は代表画４２１で代表される動画Ａを再生している画面である。選択された動画を再生している間、符号化部１０９が再生された動画を変換先の画角又はアスペクト比と規格に従って符号化する。４３２は、フォーマット変換の進捗状況を表す。
【００２９】
図４Ｄはフォーマット変換の完了時の画面例を示す。４４１はフォーマット変換の完了をユーザに通知する表示である。
【００３０】
図４Ｅは、フォーマット変換モードから戻ってきた直後のインデックス画面を示す。動画Ａを示す代表画４５１の上部に、ＨＤ動画の存在を示すラベル４５２と、ＳＤ動画の存在を示すラベル４５３が重畳表示される。ラベル４５２，４５３を代表画４５１に重畳して表示することで、代表画４５１が複数の動画（ここでは、フォーマットの異なる同じ内容の動画）を代表することを示す。ラベル４５２，４５３は、これらが示す動画、より概念的にはコンテンツの属性を文字、グラフィック又はアイコン等で表示するものである。
【００３１】
全体制御部１１４は、ＡＶＣＨＤ規格のオリジナルの動画と、フォーマット変換で生成されたＳＤ−ＶＩＤＥＯ規格の編集後の動画との関連をデータベースで管理する。このデータベースは、オリジナル動画及び編集後の動画と同じ記録媒体１２０に保存される。全体制御部１１４は、インデックスモードでは、このデータベースを参照して代表画とラベルの関係を決定する。
【００３２】
図４Ｆは、ユーザがラベル４５３をタッチした様子を示す。ユーザは、インデックス画面の代表画４５１に対し、ユーザがラベル４５３をタッチすることで、ＳＤ画質の動画Ａが再生される。他方、ユーザがラベル４５２をタッチすると、ＨＤ画質の動画Ａが再生される。
【００３３】
図４Ｇは、図４Ｆでユーザが選択したＳＤ動画を再生中の画面例を示す。４７１はフル画面で表示されるＳＤ画質の動画Ａを示す。全体制御部１１４は、ＳＤ動画をフル画面で表示し、同時に、ＳＤ動画の再生中であることをユーザに知らせるメッセージ４７２も表示する。メッセージ４７２により、ユーザは、ＨＤ／ＳＤのどちらの動画を再生しているかを容易に知ることができる。メッセージ４７２は継続的に表示しても、再生開始当初の所定時間だけ表示しても、どちらでもよい。
【００３４】
フォーマット変換の例を説明したが、動画からの静止画の切り出し、音楽の付加、削除又は変更、及び動画の切出し又は複数の動画の合成等、代表画の変更を伴わない動画編集一般にも適用可能である。
【００３５】
オリジナル動画と編集後動画を共に代表するインデックス画面上に重ねて各動画を識別可能に表示するラベルを配置する場合、個々のラベルの領域が狭くならざるを得ず、ラベル領域をそのままタッチ感知領域とすると使いにくくなる。本実施例では、以下に説明するように、タッチ感知領域をラベル領域に対して拡張することで使い難さを克服する。図５（１）〜図５（５）は代表画像上のラベルとタッチ感知領域の例を示す。タッチ感知領域をユーザがタッチすると、全体制御部１１４は、このタッチ感知領域に対応する動画などをユーザが指定したと理解し、対応する動作をするように各部を制御する。
【００３６】
図５（１）は、動画と代表画が１対１の関係である場合を示す。５１１は代表画を示し、５１２はタッチ感知領域を示す。この場合は、代表画５１１の全面にタッチ感知領域が設定される。
【００３７】
図５（２）は、図５（１）と同様に、動画と代表画が１対１の関係である場合であるが、明示的に動画フォーマットを示すラベルが表示されているケースを示す。５２１は代表画を示し、５２２はタッチ感知領域を示し、５２３はラベルを示す。代表画と動画の関係が１対１の場合、図５（２）に示す領域設定を採用しても、図５（１）に示す領域設定を採用しても良い。図５（２）に示す表示では、ラベル５２３によりユーザに明示的に動画フォーマットを通知できる。
【００３８】
図５（３）は、代表画が２つの動画（ＨＤ動画とＳＤ動画）を代表する場合を示す。５３１は２つのコンテンツに共通の代表画を示す。５３２はＨＤ動画を再生指示するためのタッチ感知領域を示し、５３３はＨＤ動画を示すラベル「ＨＤ」である。同様に、５３４はＳＤ動画を再生指示するためのタッチ感知領域を示し、５３５はＳＤ動画を示すラベル「ＳＤ」である。このようにタッチ感知領域を互いに重複しないように二つに分けることによって、代表画５３１の全面を有効に使うことができる。
【００３９】
図５（４）は、代表画が３つの画像又はコンテンツ（ＨＤ動画、ＳＤ動画及び静止画）を代表する例を示す。５４１は３つの画像に共通の代表画を示す。５４２はＨＤ動画を再生指示するためのタッチ感知領域を示し、５４３はＨＤ動画を示すラベルである。同様に、５４４はＳＤ動画を再生指示するためのタッチ感知領域であり、５４５はＳＤ動画を示すラベルである。５４６はＨＤ動画又はＳＤ動画から生成された静止画を再生指示するためのタッチ感知領域であり、５４７は静止画を示すラベル「ＰＨＯＴＯ」である。このようにタッチ感知領域を互いに重ならない３つに分けることによって、代表画の全面を有効に使うことができる。
【００４０】
図５（４）に示す例では、ＨＤ動画、ＳＤ動画及び静止画の３つのコンテンツが存在するが、このなかで、ユーザに最も見せたいものに対するタッチ感知領域を他よりも大きく設定する。図５（４）に示す例では、ＨＤ動画がユーザに最も見せたいコンテンツであるので、ＨＤ動画のタッチ感知領域５４２を、タッチ感知領域５４２，５４４，５４６の内で最大面積にする。
【００４１】
図５（５）は、代表画に関連する画像又はコンテンツが５つ以上ある場合の例を示す。５つ以上のコンテンツが代表画に関連付けられている場合、ラベル数は４つのままとして、その内の一つのラベルに複数のコンテンツを代表させる。ここでは「ＯＴＨＥＲ」ラベルとする。５５１は、ラベル「ＯＴＨＥＲ」に割当てられるタッチ感知領域を示し、５５２は表示したラベル「ＯＴＨＥＲ」を示す。「ＯＨＴＥＲ」領域５５１をタッチすると、全体制御部１１４は、ラベル「ＯＴＨＥＲ」が代表するコンテンツの一覧をユーザに提示する。
【実施例２】
【００４２】
複数の画像等が同一の代表画で代表される場合、おおよそどの範囲をタッチすれば所望のコンテンツの再生を行うのかはわかるが、タッチ感知領域が明確ではない。図６を参照して、タッチ感知領域をユーザが視覚的器に識別できるようにする方法を説明する。
【００４３】
図６（１）は、代表画が動画と１対１の関係である場合を示す。６１１は動画の代表画を示し、６１２は代表される動画を再生指示するタッチ感知領域を示し、６１３はＨＤ動画を示すラベルである。代表画６１１は、実線の枠線６１４で囲まれている。代表画６１１を囲む枠線６１４の種類（線種、色、太さ等）によって、タッチ感知領域をユーザに明示する。
【００４４】
図６（１）に示す例では、代表画６１１が１つの動画を代表しているので、代表画６１１の全面をタッチ感知領域とすることができる。すなわち、枠線６１４は同一種類の実線からなり、代表画６１１を囲んでいる。
【００４５】
図６（２）は、代表画が２つの動画を代表する場合を示す。６２１は２つの動画に共通の代表画を示す。６２２はＨＤ動画を再生指示するタッチ感知領域を示し、６２３はＨＤ動画を示すラベルである。実線の枠線６２４は代表画６２１を囲みつつ、ＨＤ動画のタッチ感知領域６２２をユーザに明示する。６２５はＳＤ動画を再生指示するタッチ感知領域であり、６２６はＳＤ動画を示すラベルである。破線の枠線６２７は代表画６２１を囲みつつ、ＳＤ動画のタッチ感知領域をユーザに明示する。このように、タッチ感知領域を代表画の枠線の種別を異ならせることでユーザに明示することで、操作性が良くなる。
【００４６】
代表画を囲む枠線の線種（破線／実線）以外に、枠線の色や線の太さを変更しても良いし、これらを組み合わせてもよい。
【００４７】
全体制御部１１４による制御は、１つのハードウエアが行ってもよいし、複数のハードウエアが分担してもよい。全体制御部１１４の上述した機能は、その機能を実現する制御プログラムを全体制御部１１４上で動作させることで、実現可能である。そのような制御プログラムは、読出し可能な記録媒体を介して又はネットワークを介してビデオカメラ１０１にインストールされ、アップデートされる。
【００４８】
本発明を説明用の実施例に基づいて詳述してきたが、本発明はこれら特定の実施例に限られるものではなく、発明の要旨を逸脱しない範囲の様々な形態も本発明に含まれる。さらに、上述した各実施例は本発明の一実施例を示すものにすぎず、各実施例を適宜組み合わせることも可能である。
【００４９】
本発明をビデオカメラに適用した実施例にして説明したが、複数の動画／静止画の何れかを代表画に基づき指定する装置一般に適用可能である。指定後の処理には、再生、編集、伝送等の種々の処理が含まれる。本発明が組み込まれる製品形態としては、パーソナルコンピュータやＰＤＡ、携帯電話端末や携帯型の画像ビューワ、ディスプレイを備えるプリンタ装置、デジタルフォトフレーム、音楽プレーヤ、ゲーム機、電子ブックリーダなどがある。
【００５０】
本発明は、以下の処理を実行することによっても実現される。即ち、上述した実施形態の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014002625.tif 000003
【図２】
2014002625.tif 000004
【図３】
2014002625.tif 000005
【図４Ａ】
2014002625.tif 000006
【図４Ｂ】
2014002625.tif 000007
【図４Ｃ】
2014002625.tif 000008
【図４Ｄ】
2014002625.tif 000009
【図４Ｅ】
2014002625.tif 000010
【図４Ｆ】
2014002625.tif 000011
【図４Ｇ】
2014002625.tif 000012
【図５】
2014002625.tif 000013
【図６】
2014002625.tif 000014